(57)【特許請求の範囲】
【請求項１】
光治療装置であって、
キャリアによって定義されるエリアの上にポジショニングして当該エリアを見るための開口を持つ、キャリアと、
前記キャリアを患者に取り付けるためのアタッチメントと、
前記キャリアによって定義されるエリアへ治療光を供給するための発光体と、
回転可能マスクと
を有し、
治療エリアの位置、サイズ及び／又は形状が前記キャリアによって定義されるエリア内で選択されることを可能にするよう、前記回転可能マスクが複数の穴及び／又は透明パネルを有し、前記キャリアと前記発光体の間に位置する、
光治療装置。
【請求項２】
前記回転可能マスクと前記キャリアを一緒に結合するための結合をさらに有する、請求項１に記載の光治療装置。
【請求項３】
前記回転可能マスクと前記キャリアを結合するための前記結合が磁気結合を有する、請求項２に記載の光治療装置。
【請求項４】
前記マスクの前記複数の穴及び／又は透明パネルの一つのみが前記治療エリアを提供する、請求項１から３のいずれか一項に記載の光治療装置。
【請求項５】
前記発光体が透明若しくは半透明パネルをさらに有する、請求項１から４のいずれか一項に記載の光治療装置。
【請求項６】
前記発光体が一つ以上のＬＥＤを有する、請求項１から５のいずれか一項に記載の光治療装置。
【請求項７】
前記透明若しくは半透明パネルをカバーするため、及び迷光の発光を防止するためのカバーをさらに有する、請求項１から６のいずれか一項に記載の光治療装置。
【請求項８】
前記カバーが前記透明若しくは半透明パネルをカバーしていないときに前記発光体が発光することを防止するための安全装置をさらに有する、請求項７に記載の光治療装置。
【請求項９】
前記光治療装置が、
前記キャリアとアタッチメントを有するポジショニング部と、
前記キャリアによって定義されるエリアへ治療光を供給するための前記発光体を有する治療部と、
前記ポジショニング部と前記治療部を一緒に結合するための結合と
を有する、請求項１から４のいずれか一項に記載の光治療装置。
【請求項１０】
前記ポジショニング部と前記治療部を結合するための結合が磁気結合を有する、請求項９に記載の光治療装置。
【請求項１１】
前記ポジショニング部と前記治療部が一緒に結合されないときに前記発光体が発光することを防止するための安全装置をさらに有する、請求項９又は１０に記載の光治療装置。
【発明の詳細な説明】
【技術分野】
【０００１】
本発明は光療法のための光治療装置に関する。
【背景技術】
【０００２】
光による皮膚の治療、例えば尋常性乾癬の治療のために、全身治療が使用される。これは例えば尋常性乾癬のプラークが処置されることを保証するが、健常な皮膚の大部分も処置される。処置の種類に応じて、健常な皮膚を処置する効果は、患者の健康に深刻な影響を及ぼすものから、色素過剰などのそれほど重篤でない美容上の効果まで様々であり得る。
【発明の概要】
【発明が解決しようとする課題】
【０００３】
かかる副作用を最小化するために特定皮膚部位が選択され処置されることを可能にすることが有利であり得る。
【課題を解決するための手段】
【０００４】
本発明は請求項によって定義される。
【０００５】
光治療装置であって、
キャリアによって定義されるエリアの上にポジショニングして、当該エリアを見るための開口を持つ、当該キャリアと、
患者にキャリアを取り付けるためのアタッチメントと、
キャリアによって定義されるエリアへ治療光を供給するための発光体と、
回転可能マスクと
を有し、回転可能マスクは複数の穴及び／又は透明パネル（３３，３５，４３）を有し、治療エリアの位置、サイズ及び／又は形状がキャリアによって定義されるエリア内で選択されることを可能にするよう、キャリアと発光体の間に位置する、光治療装置が提供される。
【０００６】
これはキャリアによって定義されるエリアを見ながら、光治療が望まれるエリアの上に開口がポジショニングされ、そしてアタッチメントで適所に保たれることを可能にし得る。そして回転可能マスクはキャリアによって定義されるエリア内で治療エリアを選択するために使用され得る。そして光治療が当該エリアに施され得る。さらに、光治療が望まれないエリアの処置が回避され得る。
【０００７】
治療エリアの光治療装置に対する位置、サイズ及び／又は形状は調節可能であり得る。これは異なる治療エリアが選択されることを可能にし得る。
【０００８】
複数の穴及び／又は透明パネルの一つのみが治療エリアを提供し得る。
【０００９】
キャリア内の開口は穴であり得るか、又はこれは透明若しくは半透明パネルであり得る。これは治療部が例えば使用中に皮膚片や軟膏で汚染されることを防止し得る。
【００１０】
発光体は一つ以上のＬＥＤを有し得る。
【００１１】
光治療装置は開口をカバーするため及び迷光の発光を防止するためのカバーをさらに有し得る。これはカバーが適所にないときは治療エリアを見ながら装置のポジショニングを可能にし、カバーが適所にあるときは治療装置の使用中に迷光が漏れることを防止し得る。
【００１２】
光治療装置はカバーが開口をカバーしていないときに発光体が発光することを防止するための安全装置もさらに有し得る。これはカバーが適所にないときに装置の誤動作を防止し得る。
【００１３】
光治療装置はキャリアを有するポジショニング部、治療エリアへ治療光を供給するための発光体を有する治療部、ポジショニング部と治療部を一緒に結合するための結合を有し得る。
【００１４】
皮膚片と軟膏が皮膚上に存在し得る。これらはポジショニング部のみに接触し、治療部には接触しないので、ポジショニング部のみが使用間に洗浄を要する。
【００１５】
ポジショニング部と治療部を結合するための結合は磁気結合を有し得る。これはポジショニング部と治療部の好都合な結合を可能にし得る。さらに、磁気結合の使用は向上した衛生状態を提供するのに役立ち得る。特に、磁気結合の使用は他の接続法に本来備わっている隙間、フック、リッジなどを伴わない治療装置２１の提供を可能にし、滑らかな治療装置は軟膏、皮膚片などによって汚染されるときに洗浄しやすく、これは治療部上の滑らかな係合面に磁気結合されるポジショニング部上の滑らかな係合面を持つことによって実現され得る。
【００１６】
ポジショニング部と治療部は各々磁気結合の一部として少なくとも一つの永久磁石を有し得る。
【００１７】
ポジショニング部と治療部は各々磁気結合の一部として複数の永久磁石を有し得る。これはロバストな結合を提供し得る。
【００１８】
ポジショニング部と治療部は、相補的構成が係合されるときにポジショニング部と治療部の間で光が漏れることを防止するために当該相補的構成を持ち得る。これは迷光が漏れることを防止し得る。迷光は皮膚及び／又は目を損傷し得る。
【００１９】
光治療装置はポジショニング部と治療部が一緒に（磁気）結合されないときに発光体が発光することを防止するための安全装置をさらに有し得る。これは迷光が漏れることを防止し得る。
【００２０】
ポジショニング部を患者に取り付けるためのアタッチメントはストラップを有し得る。これは特に好都合なアタッチメントをあらわす。
【００２１】
開口を通じて治療エリアを見ながら、キャリアの開口を患者の治療エリアと整列させるステップを有する、光治療装置のポジショニング法も提供される。キャリアは患者に取り付けられる。これは光治療装置の発光体が治療エリアへ治療光を供給することを可能にする。
【００２２】
本発明の実施例は添付の図面を参照して詳細に記載される。
【図面の簡単な説明】
【００２３】
【図１】未搭載位置における光治療装置の斜視図を示す。
【図２】治療部が意図した動作位置に取り付けられる異なる構成における図１の光治療装置の斜視図を示す。
【図３】下からの図１の光治療装置の斜視図を示す。
【図４】図１の光治療装置の治療部の断面図を示す。
【図５】図１の光治療装置のポジショニング部の構成要素の斜視図を示す。
【図６】図１の光治療装置の治療部の斜視図を示す。
【図７】使用中の光治療装置のポジショニング部の斜視図を示す。
【図８】使用中の図７のポジショニング部を有する光治療装置の斜視図を示す。
【図９】別の光治療装置の略断面図を示す。
【図１０】光治療装置のための代替的なポジショニング部の略断面図を示す。
【図１１】図１０のポジショニング部における使用のためのマスクの平面図を示す。
【図１２】図９の光治療装置における使用のためのマスクの平面図を示す。
【図１３】別の光治療装置略断面図を示す。
【図１４】異なる構成における図１３の光治療装置の略断面図を示す。
【発明を実施するための形態】
【００２４】
本発明は光治療装置を提供する。装置は治療エリアの上にポジショニングして、当該治療エリアを見るための開口を持つキャリアと、治療エリアへ治療光を供給するための発光体とを有する。キャリアを患者に取り付けるためのアタッチメントも設けられる。
【００２５】
図１から６は概して１で示される光治療装置を示す。
【００２６】
図１は治療エリアの上にポジショニングして、当該治療エリアを見るための開口５を持つキャリア１１を有する光治療装置１を示す。キャリア１１を患者に取り付けるためのアタッチメント３と治療光を治療エリアへ供給するための発光体６も設けられる。
【００２７】
これは光治療が望まれるエリアの上に、当該エリアを見ながら、開口５がポジショニングされ、そしてアタッチメント３で適所に保たれることを可能にし得る。そして光治療が当該エリアへ施され得る。さらに、光治療が望まれないエリアの処置が回避され得る。
【００２８】
図示の実施形態において、キャリア１１はポジショニング部１１である。ポジショニング部１１は患者にポジショニング部を取り付けるためのアタッチメント３と、治療エリアの上にポジショニングして当該エリアを見るための開口５を有する。光治療装置１は治療光を治療エリアへ供給するための発光体６を有する治療部２１も有する。光治療装置１はポジショニング部１１と治療部２１を一緒に結合するための結合７，９も有する（図５及び６参照）。
【００２９】
これは光治療が望まれるエリアの上に、当該エリアを見ながら、開口５がポジショニングされ、そしてアタッチメント３で適所に保たれることを可能にし得る。治療部２１がポジショニング部１１に結合されると、光治療が当該エリアに施され得る。さらに、光治療が望まれないエリアの処置が回避され得る。
【００３０】
皮膚片と軟膏が皮膚上に存在し得る。これらはポジショニング部１１のみに接触し、治療部２１には接触しないので、ポジショニング部１１のみが使用間に綿密な洗浄を要する。
【００３１】
特に図５及び６に図示の通り、ポジショニング部１１と治療部２１を結合するための結合７，９は磁気結合である。これはポジショニング部１１と治療部２１の好都合な結合を可能にし得る。さらに、磁気結合の使用は向上した衛生状態を提供するのに役立ち得る。特に、磁気結合の使用は他の接続法に本来備わっている隙間、フック、リッジなどを伴わない治療装置２１の提供を可能にし、滑らかな治療装置は軟膏、皮膚片などによって汚染されるときに洗浄しやすい。
【００３２】
ポジショニング部１１と治療部２１は各々磁気結合の一部として複数（二つ）の永久磁石７，９を有する。これはロバストな結合を提供し得る。
【００３３】
磁気結合の他の構成が可能であり、例えば：ポジショニング部１１と治療部２１は各々磁気結合の一部として一つの永久磁石７，９を有し得る。磁気結合７，９はポジショニング部１１において永久磁石７と治療部２１において強磁性素子９を有し得る。磁気結合７，９はポジショニング部１１において強磁性素子７と治療部２１において永久磁石９を有し得る。磁気結合７，９はポジショニング部１１において永久磁石７と、治療部２１において適切な極性の永久磁石９を有し得る。
【００３４】
開口５は穴である。
【００３５】
代替的に、開口５は透明若しくは半透明パネルであり得る。これは治療部が例えば使用中に皮膚片や軟膏で汚染されることを防止し得る。
【００３６】
ポジショニング部１１と治療部２１は分離可能である。これは例えばポジショニング部１１はより綿密な洗浄法にかけられるよう、二つの部分がより容易に洗浄されることを可能にし得る。
【００３７】
ポジショニング部を患者に取り付けるためのアタッチメント３はストラップである。これは特に好都合なアタッチメントをあらわす。
【００３８】
特に図３に図示の通り、発光体６は複数のＬＥＤを有する。
【００３９】
特に図４に図示の通り、発光体６は透明若しくは半透明カバー２３の後ろにあり得る。
【００４０】
特に図５及び６に図示の通り、ポジショニング部１１と治療部２１は相補的構成が係合されるときにポジショニング部と治療部の間で光が漏れることを防止するために相補的構成２５，２７を持ち得る。これは迷光が漏れることを防止し得る。迷光は皮膚及び／又は目を損傷し得る。
【００４１】
光治療装置はポジショニング部と治療部が一緒に磁気結合されないときに発光体が発光することを防止するための安全装置をさらに有し得る。これは迷光が漏れることを防止し得る。
【００４２】
図７及び８は使用中の光治療装置１を示す。図７において光治療装置１の開口５は目に見える治療エリアの上にポジショニングされ、アタッチメント３が光治療装置１を患者の脚に取り付けている。図８に図示の通り発光体が治療エリアへ治療光を供給しており、迷光は漏れていない。
【００４３】
別の光治療装置が図９に概略的に示される。概して１で示されるこの光治療装置も、治療エリアの上にポジショニングして当該エリアを見るための開口５を持つキャリア１１、キャリア１１を患者に取り付けるためのアタッチメント３、及び治療光を治療エリアへ供給するための発光体６を有する。
【００４４】
上記の通り、これは光治療が望まれるエリアの上に、当該エリアを見ながら、開口５がポジショニングされ、そしてアタッチメント３で適所に保たれることを可能にし得る。そして光治療が当該エリアへ施され得る。さらに、光治療が望まれないエリアの処置が回避され得る。
【００４５】
図１から６の光治療装置と同様に、キャリア１１はポジショニング部１１である。ポジショニング部１１は治療エリアの上にポジショニングして当該エリアを見るための開口５を有する。アタッチメント３はポジショニング部１１を患者に取り付けるためのものである。光治療装置１は治療光を治療エリアへ供給するための発光体６を有する治療部２１も有する。光治療装置１はポジショニング部１１と治療部２１を一緒に結合するための結合７，９をさらに有する。結合７，９はスナップリング結合である。
【００４６】
これは光治療が望まれるエリアの上に、当該エリアを見ながら、開口５がポジショニングされ、そしてアタッチメント３で適所に保たれることを可能にし得る。治療部２１がポジショニング部１１に結合されると、光治療が当該エリアに施され得る。さらに、光治療が望まれないエリアの処置が回避され得る。
【００４７】
皮膚片と軟膏が皮膚上に存在し得る。これらはポジショニング部１１のみに接触し、治療部２１には接触しないので、ポジショニング部１１のみが使用間に綿密な洗浄を要する。
【００４８】
ポジショニング部１１と治療部２１を結合するための結合７，９は代替的に若しくは付加的に磁気結合を有し得る。これはポジショニング部１１と治療部２１の好都合な結合を可能にし得る。
【００４９】
開口５は穴である。
【００５０】
代替的に、開口５は透明若しくは半透明パネルであり得る。これは治療部が例えば使用中に皮膚片や軟膏で汚染されることを防止し得る。
【００５１】
ポジショニング部１１と治療部２１は分離可能である。これは例えばポジショニング部１１はより綿密な洗浄法にかけられるよう、二つの部分がより容易に洗浄されることを可能にし得る。
【００５２】
発光体６は一つ以上のＬＥＤを有する。
【００５３】
図示の通り、ポジショニング部１１と治療部２１は相補的構成が係合されるときにポジショニング部と治療部の間で光が漏れることを防止するために相補的構成２５，２７を持ち得る。これは迷光が漏れることを防止し得る。迷光は皮膚及び／又は目を損傷し得る。
【００５４】
光治療装置１はポジショニング部と治療部が一緒に磁気結合されないときに発光体が発光することを防止するための安全装置をさらに有し得る。これは皮膚及び／又は目を損傷し得る迷光が漏れることを防止し得る。
【００５５】
ポジショニング部を患者に取り付けるためのアタッチメント３はストラップを有する。これは特に好都合なアタッチメントをあらわす。
【００５６】
さらなる光治療装置とその構成要素が図１０、１１及び１２に概略的に示され、装置は図９のものと同様であるため説明は相違点にフォーカスする。
【００５７】
図１０及び１１の光治療装置１はポジショニング部１１、ポジショニング部を患者に取り付けるためのアタッチメント３、及び治療エリアの上にポジショニングして当該エリアを見るための開口５を有する。
【００５８】
治療エリアの光治療装置１に対する位置、サイズ及び／又は形状は調節可能である。これは異なる治療エリアが選択されることを可能にし得る。
【００５９】
光治療装置１は治療エリアの位置、サイズ及び／又は形状を調節するための複数の穴３３及び／又は透明パネル３３を持つマスク３１をさらに有する。これは治療エリアを選択するための単純な構成をあらわす。マスク３１はスナップリング結合９に収まる。マスク３１は回転可能に取り付けられる。
【００６０】
図示の通り、ポジショニング部１１は窓の上の穴及び／又は透明パネル５のみが治療エリアを提供するような窓３５を有する。このように、複数の穴３３及び／又は透明パネル３３の一つのみが治療エリアを提供する。
【００６１】
図１２に図示の通り、別の光治療装置１は治療エリアの位置を調節するための単一穴４３及び／又は透明パネル４３を持つマスク４１を有する。マスク４１は図９のような装置のスナップリング結合９に収まる。
【００６２】
これは治療エリアが所望の治療エリアにマッチするように調整されることを可能にし得る。穴４３及び／又は透明パネル４３は非円形であり得る。穴４３及び／又は透明パネル４３は楕円形である。マスク４１は回転可能に取り付けられる。
【００６３】
異なるサイズと形状の治療エリアに対して異なるサイズと形状の穴及び／又は透明パネルを持つ代替的なマスクが提供され得る。例えば、穴４３及び／又は透明パネル４３はマスク４１から中心を外れて位置し得る。最初は穴を持たないが所望の治療エリアにマッチするために使用前に手動でカットされるマスクが提供されてもよい。
【００６４】
さらなる光治療装置１が図１３及び１４に示される。概して１で示される光治療装置は、治療エリアの上にポジショニングして当該エリアを見るための開口５を持つキャリア１１を有する。光治療装置１を患者に取り付けるためのアタッチメント３と、治療光を治療エリアへ供給するための発光体６も設けられる。
【００６５】
この実施例において、発光体６はキャリア１１に取り外し可能に取り付けられるのではなくキャリア１１の一部として形成される。さらに、発光体６は少なくとも部分的に透明である。
【００６６】
これは治療が望まれるエリアの上に、発光体６を通じて当該エリアを見ながら、開口５がポジショニングされ、そしてアタッチメント３で適所に保たれることを可能にし得る。そして光治療が当該エリアに施され得る。さらに、光治療が望まれないエリアの処置が回避され得る。
【００６７】
光治療装置１はアタッチメント３内に開口５を形成する透明及び／又は半透明部５１を有する。部分５１は透明／半透明であるため、治療エリアは透明部５１が中に取り付けられる開口５を通じて見ることができる。発光体６も透明／半透明部５１の中に形成される。
【００６８】
光治療装置は開口５をカバーするため及び迷光の発光を防止するためのカバー５３をさらに有する。これはカバー５３が適所にないときは開口５を通じて治療エリアを見ながら装置１のポジショニングを可能にし、カバー５３が適所にあるときは（図１４に図示の通り）治療装置１の使用中に迷光が漏れることを防止し得る。
【００６９】
カバー５３はヒンジ５５によって治療装置１に接続される。
【００７０】
光治療装置１はカバーが開口をカバーしていないときに発光体６が発光することを防止するための安全装置も有し得る。これはカバーが適所にないときの装置の誤動作を防止し得る。
【００７１】
ポジショニング部を患者に取り付けるためのアタッチメントはストラップを有する。これは特に好都合なアタッチメントをあらわす。
【００７２】
本発明の装置は好適には体の比較的大きな領域を処置するためのものであり、この目的で開口は典型的には３ｃｍから１５ｍの範囲の最大線形寸法を持ち、例えばこの範囲の直径を持つ円などである。アタッチメントは例えば四肢若しくは胴体まわりに固定するための、上記の通りストラップであり得るが、処置されるエリアの上の所望の位置に開口を保持するために他の固定が使用されることができる。例えば、絆創膏と同様の接着層が使用され得る。
【００７３】
上述の通り、光源は開口に係合していないとき又は遮光蓋が閉じていないときは機能しない。これは発光体が正しく係合されるとき、又は蓋が正しく閉じられるときに電気回路が形成されるように、キャリアと発光体、又はキャリアと蓋の中に電気接点を組み込むことによって実現され得る。
【００７４】
発光体の光出力は典型的には最大１００ｍＷ／ｃｍ２の強度で３００ｎｍから１１００ｎｍの波長範囲である。発光体は処置される状態に応じて、ＵＶＢ光（２８０ｎｍから３１５ｎｍ）、ＵＶＡ光（３１５ｎｍから３８０ｎｍ若しくは３１５ｎｍから４００ｎｍ）、可視光（３８０ｎｍから７８０ｎｍ若しくは４００ｎｍから７８０ｎｍ）及び／又はＩＲ‐Ａ光（７８０ｎｍから１４００ｎｍ）を発し得る。発光体はＵＶＢスペクトルの長波部分（例えば３００及び３２０ｎｍ又は３０５ｎｍ及び３１５ｎｍの間）で発光し、かかる光は乾癬を治療するために使用され得る。
【００７５】
開示の実施形態への他の変更は、図面、開示、及び添付の請求項の考察から、請求される発明を実施する上で当業者によって理解されもたらされることができる。実施形態は組み合わされてもよく、例えば図１１及び１２に示す実施形態のマスク３１，４１は例えば図１から６若しくは図１３及び１４に示す他の実施形態と組み合わされることができる。上記光源は複数のＬＥＤを有するが、治療光を供給するいかなる他の発光体が使用されてもよい。
【００７６】
請求項において、"有する"という語は他の要素若しくはステップを除外せず、不定冠詞"ａ"若しくは"ａｎ"は複数を除外しない。特定の手段が相互に異なる従属請求項に列挙されるという単なる事実はこれら手段の組み合わせが有利に使用されることができないことを示さない。請求項における任意の参照符号は範囲を限定するものと解釈されてはならない。
【図１】
0006383414.tif 000002
【図２】
0006383414.tif 000003
【図３】
0006383414.tif 000004
【図４】
0006383414.tif 000005
【図５】
0006383414.tif 000006
【図６】
0006383414.tif 000007
【図７】
0006383414.tif 000008
【図８】
0006383414.tif 000009
【図９】
0006383414.tif 000010
【図１０】
0006383414.tif 000011
【図１１】
0006383414.tif 000012
【図１２】
0006383414.tif 000013
【図１３】
0006383414.tif 000014
【図１４】
0006383414.tif 000015